(57)【要約】      （修正有）【課題】空容器を多方向から投入することを可能とすることで、投入時の利便性を高めると共に、複数の自動販売機が配設された際の空きスペースの有効利用を実現することができる空容器収容ボックスを提供する。【解決手段】空缶や空ペットボトル等の空容器を収容する空容器収容ボックス１であって、前記空容器を多方向より投入できる空容器投入部２を形成した。前記空容器収容ボックス１は、自動販売機をＬ字状に配設した際に形成される角空間部に納まるように形成した。【選択図】図１
0003117821.tif 000002
【実用新案登録請求の範囲】
【請求項１】
空缶や空ペットボトル等の空容器を収容する空容器収容ボックスであって、前記空容器を多方向より投入できる空容器投入部を形成したことを特徴とする空容器収容ボックス。
【請求項２】
前記空容器収容ボックスは、自動販売機をＬ字状に配設した際に形成される角空間部に納まるように形成した請求項１記載の空容器収容ボックス。
【請求項３】
前記空容器投入部を複数段に形成した請求項１または２記載の空容器収容ボックス。
【請求項４】
前記空容器投入部に設けられた投入孔を空容器の形状に形成した請求項１乃至３のいずれかに記載の空容器収容ボックス。
【請求項５】
前記空容器収容ボックスは、取付材を介して自動販売機に着脱自在に装着される請求項１乃至４のいずれかに記載の空容器収容ボックス。
【請求項６】
前記空容器収容ボックスは、連結具を介して自動販売機に固定される請求項１乃至５のいずれかに記載の空容器収容ボックス。
【考案の詳細な説明】
【技術分野】
【０００１】
本考案は、空缶や空ペットボトル等の空容器を収容する空容器収容ボックスに関し、特に、自動販売機に隣接して配設される空容器収容ボックスにおいて、多方向よりの投入を可能とすると共に、空きスペースの有効利用を実現することができる空容器収容ボックスに関する。
【背景技術】
【０００２】
従来、自動販売機によって販売される缶入り飲料の空缶等、商品の空容器の回収を有効に行え、良好な美観を得ることができると共に、自動販売機への商品補充作業を効率よく行えて、経費を削減することができる自動販売機用補助ボックスがある（例えば特許文献１参照）。上掲特許文献１記載の自動販売機用補助ボックスは、自動販売機の近傍に配置される自動販売機用補助ボックスであって、前面が開放された補助ボックス本体の内部スペースのうち、下部領域に空容器回収スペースが設けられているとともに、上部領域に補充商品保管スペースが設けられ、補助ボックス本体の前面開放部に取り付けられた開閉扉に、空容器回収スペースに連通する空容器投入口が形成されている。
【特許文献１】登録実用第３０００３４２公報（第１-２頁、図１）
【考案の開示】
【考案が解決しようとする課題】
【０００３】
しかしながら、上掲特許文献記載の自動販売機用補助ボックスに限らず、一般に知られている自動販売機用補助ボックスにおいては、空容器投入口は自動販売機用補助ボックスの前面にのみ配設されているため、必然的に空缶の回収箇所が一方向となり、また、投入口の設置数量や形状は限定されるため、良好な利便性は得られなかった。
【０００４】
そこで本考案は上記の点に鑑み、空缶や空ペットボトル等の空容器を収容する空容器収容ボックスであって、特に、前記空容器を多方向から投入することを可能とすることで、投入時の利便性を高めると共に、複数の自動販売機が配設された際の空きスペースの有効利用を実現することができる空容器収容ボックスに関する。
【課題を解決するための手段】
【０００５】
上記課題を解決するために本考案の空容器収容ボックスは、空缶や空ペットボトル等の空容器を収容する空容器収容ボックスにおいて、空容器を多方向より投入できる空容器投入部を形成したことを特徴とするものである。
【０００６】
本考案の空容器収容ボックスにおいては、自動販売機をＬ字状に配設した際に形成される角空間部に納まるように形成することが好適である。また、前記空容器投入部を複数段に形成してもよい。さらに、前記空容器投入部に設けられた投入孔を空容器の形状に形成してもよい。さらにまた、前記空容器収容ボックスは、取付材を介して自動販売機に着脱自在に装着する、または連結具を介して自動販売機に固定してもよい。
【考案の効果】
【０００７】
本考案の空容器収容ボックスによれば、空容器を多方向より投入できる空容器投入部を形成したことで、空容器投入時の利便性を高めることができる。また、空容器収容ボックスを、自動販売機をＬ字状に配設した際に形成される角空間部に納まるように形成したことで、空きスペースの有効利用が可能となる。さらに、空容器投入部を複数段に形成したことで、空容器の投入を容易にかつ手軽に行うことができる。さらにまた、空容器投入部に設けられた投入孔を空缶や空ペットボトル等の空容器の形状に形成することで、斬新的なデザインが得られると共に、廃棄時における分別処理が容易となる。さらにまた、取付材を介して自動販売機に装着することにより、自動販売機との装着性が良好となる上、装着や取外しを簡便に行うことができ、連結具を介して自動販売機に固定することにより、台風や地震が発生した際、自動販売機と空容器収容ボックスの転倒の危険性を軽減することができる。
【考案を実施するための最良の形態】
【０００８】
以下、本考案における空容器収容ボックスの実施の形態を図面に基づいて説明する。
本考案の空容器収容ボックス１は空缶や空ペットボトル等の空容器を収容するものである。空容器収容ボックス１は、空容器を投入する投入孔３を有する空容器投入部２と、内部に収容された空容器を取り出す開閉扉４を備えている。また、空容器投入部２の上部には広告等を記載する広告スペース５が設けられている。さらに、空容器投入部２の下部には、内部状況を目視できるように透明窓６が形成されている。
【０００９】
空容器投入部２は空容器収容ボックス１の複数面（図中二側面）に設けられている。これにより、矢印のＡ、Ｂに示すように、空容器を二方向より投入でき、空缶等の投入を容易にかつ手軽に行うことができる。また、空容器収容ボックス１は五角形や六角形等の任意の形状に形成し、夫々の面に空容器投入部２を設けてもよい。なお、図中、空容器投入部２は二側面設けられているが、これに限られず、三側面や四側面に設けてもよい。
【００１０】
空容器収容ボックス１は、図２に示すように、２機の自動販売機１０をＬ字状に配設した際に形成される角空間部１１に設置される。空容器収容ボックス１の大きさは、自動販売機の高さや巾に合わせることが好ましい。これにより、複数の自動販売機１０を設置する際の空きスペースの有効利用が実現できる。
【００１１】
本考案に係る空容器収容ボックスの他の好適例として、図３に示すように、空容器投入部２を複数段に形成してもよい。これにより、空容器の投入が一層容易になると共に、背丈の小さな子どもでも一人で投入することができる。また、図示するように、空容器収容ボックス１の先方を湾曲状に形成しデザイン性を向上させてもよい。
【００１２】
また、本考案に係る空容器収容ボックスの他の好適例として、図４および図５に示すように、空容器投入部２に設けられた投入孔３を、空缶やペットボトル等の空容器の形状に形成してもよい。例えば、図４に示すように、空容器投入部２に大小の空缶の形状を呈する投入孔３ａ、３ｂを、また、大小の空ペットボトルの形状を呈する投入孔３ｃ、３ｄを形成する。例えば、図５に示すように、二段の空容器投入部２には、下段に大小の空缶の形状を呈する投入孔３ａ、３ｂを、また、上段に大小の空ペットボトルの形状を呈する投入孔３ｃ、３ｄを形成する。なお、投入孔３を設ける箇所、数量および施される形状等は特に限定されるものではない。
【００１３】
本考案に係る空容器収容ボックスの他の更なる好適例として、図６に示すように、空容器収容ボックス１に、自動販売機１０と着脱自在に装着する取付材７を設けてもよい。取付材７は、コストや利便性を考慮した際、薄板状マグネットを使用することが好ましい。取付材７を設けることで、自動販売機１０との装着性が良好となる上、装着や取外しを簡便に行うことができる。また、取付材７の代わりに連結具を設けて、自動販売機１０と固定してもよい。
【図面の簡単な説明】
【００１４】
【図１】本考案の空容器収容ボックスの全体斜視図である。
【図２】角空間部に空容器収容ボックスを設置した状態を示す全体斜視図である。
【図３】本考案の他の好適例を示す空容器収容ボックスの全体斜視図である。
【図４】空容器投入部に設けられた投入孔の形状を示す図である。
【図５】前記投入孔の他の好適例を示す図である。
【図６】空容器収容ボックスを自動販売機に取り付けた状態を示す正面図である。
【符号の説明】
【００１５】
１      空容器収容ボックス
２      空容器投入部
３      投入孔
３ａ    投入孔
３ｂ    投入孔
３ｃ    投入孔
３ｄ    投入孔
４      開閉扉
５      広告スペース
６      透明窓
７      取付材
１０    自動販売機
１１    角空間部
Ａ      矢印
Ｂ      矢印
【図１】
0003117821.tif 000003
【図２】
0003117821.tif 000004
【図３】
0003117821.tif 000005
【図４】
0003117821.tif 000006
【図５】
0003117821.tif 000007
【図６】
0003117821.tif 000008